(57)【要約】【課題】立体表示される画像の見やすさを調整する。【解決手段】表示装置は、入力される情報に基づいて、表示対象から入射する光の両眼視差の補正量を算出する補正部と前記表示対象から入射する両眼視差を有する光を透過し、前記補正部が算出した前記補正量に基づいて、前記入射する光の両眼視差量を補正する画像を表示する表示部とを備える。【選択図】図１
2014199288.tif 000002
【特許請求の範囲】
【請求項１】
入力される情報に基づいて、表示対象から入射する光の両眼視差の補正量を算出する補正部と
前記表示対象から入射する両眼視差を有する光を透過し、前記補正部が算出した前記補正量に基づいて、前記入射する光の両眼視差量を補正する画像を表示する表示部と
を備えることを特徴とする表示装置。
【請求項２】
前記表示部は、
視点位置から見た前記入射する光による像と前記入射する光の両眼視差量を補正する画像とが重畳するように前記画像を表示する
ことを特徴とする請求項１に記載の表示装置
【請求項３】
前記表示対象を見るユーザの眼間距離を検出する眼間距離検出部とを備え、
前記入力される情報は、前記眼間距離検出部が検出した前記眼間距離を含み、
前記補正部は、
前記眼間距離検出部が検出した前記眼間距離に基づいて、前記補正量を算出する
ことを特徴とする請求項１または請求項２に記載の表示装置。
【請求項４】
前記表示対象の位置と、前記視差画像が表示される位置と、前記画像を見るユーザの視点位置との相対位置を検出する位置検出部とを備え、
前記入力される情報は、前記位置検出部が検出した前記相対位置を含み、
前記補正部は、
さらに前記位置検出部が検出した前記相対位置に基づいて前記補正量を算出する
ことを特徴とする請求項１から請求項３のいずれか一項に記載の表示装置。
【請求項５】
前記表示部は、
入射する光による像の輪郭部を示す画像であって、両眼視差によって前記像に立体感を付与する輪郭画像を、前記入射する光の両眼視差量を補正する画像として表示する
ことを特徴とする請求項１から請求項４のいずれか一項に記載の表示装置。
【請求項６】
前記補正部は、
前記輪郭画像が示す前記輪郭部の大きさを、前記補正量として算出し、
前記表示部は、
前記補正部が算出した前記輪郭部の大きさに基づく前記輪郭画像を表示する
ことを特徴とする請求項５に記載の表示装置。
【請求項７】
前記表示部は、
視点位置から見た前記入射する光による視差を有する像と前記輪郭画像とが重畳する位置から所定の方向ずらした位置に前記輪郭画像を表示する
ことを特徴とする請求項５または請求項６に記載の表示装置。
【請求項８】
両眼視差を有する第１の画像を表示する第１表示部と、
入力される情報に基づいて、前記第１表示部に表示される前記第１の画像の両眼視差の補正量を算出する補正部と
前記第１表示部が表示する前記第１の画像からの光を透過可能であるとともに、前記補正部が算出した前記補正量に基づいて前記第１の画像の両眼視差量を補正する第２の画像を表示する第２表示部と
を備えることを特徴とする表示システム。
【請求項９】
入射する光を透過可能である透過型の表示部が備えるコンピュータに、
入力される情報に基づいて、表示対象から入射する光の両眼視差の補正量を算出する補正ステップと、
前記表示対象から入射する両眼視差を有する光を透過し、前記補正ステップにおいて算出された前記補正量に基づいて、前記入射する光の両眼視差量を補正する画像を表示する表示ステップと
を実行させるためのプログラム。
【発明の詳細な説明】
【技術分野】
【０００１】
本発明は、表示装置、表示システム及びプログラムに関する。
【背景技術】
【０００２】
近年、３次元画像の奥行き位置に応じて輝度比を付けた二つの画像を、奥行き位置の異なる手前の表示面と奥の表示面とに表示して両眼視差を生じさせることにより、ユーザに立体感を知覚させる表示方法が知られている（例えば、特許文献１を参照）。
【先行技術文献】
【特許文献】
【０００３】
【特許文献１】特許第３４６４６３３号公報
【発明の概要】
【発明が解決しようとする課題】
【０００４】
しかしながら、上記のような表示方法において、両眼視差の量によっては、画像を見る人が見にくさを感じることがあった。そのため画像の見やすさを調整することまではできないという問題があった。
【０００５】
本発明は、上記問題を解決すべくなされたもので、その目的は、立体表示される画像の見やすさを調整することができる表示装置を提供することにある。
【課題を解決するための手段】
【０００６】
本発明の一実施形態は、入力される情報に基づいて、表示対象から入射する光の両眼視差の補正量を算出する補正部と前記表示対象から入射する両眼視差を有する光を透過し、前記補正部が算出した前記補正量に基づいて、前記入射する光の両眼視差量を補正する画像を表示する表示部とを備えることを特徴とする表示装置である。
【０００７】
また、本発明の一実施形態は、両眼視差を有する第１の画像を表示する第１表示部と、入力される情報に基づいて、前記第１表示部に表示される前記第１の画像の両眼視差の補正量を算出する補正部と前記第１表示部が表示する前記第１の画像からの光を透過可能であるとともに、前記補正部が算出した前記補正量に基づいて前記第１の画像の両眼視差量を補正する第２の画像を表示する第２表示部とを備えることを特徴とする表示システムである。
【０００８】
また、本発明の一実施形態は、入射する光を透過可能である透過型の表示部が備えるコンピュータに、入力される情報に基づいて、表示対象から入射する光の両眼視差の補正量を算出する補正ステップと前記表示対象から入射する両眼視差を有する光を透過し、前記補正ステップにおいて算出された前記補正量に基づいて、前記入射する光の両眼視差量を補正する画像を表示する表示ステップとを実行させるためのプログラムである。
【発明の効果】
【０００９】
この発明によれば、立体表示される画像の見やすさを調整することができる。
【図面の簡単な説明】
【００１０】
【図１】本発明の第１の実施形態における表示システムの構成の一例を示す構成図である。
【図２】本実施形態の表示装置の構成の一例を示す斜視図である。
【図３】本実施形態における第１の画像の一例を示す模式図である。
【図４】本実施形態における第２の画像の一例を示す模式図である。
【図５】本実施形態の表示装置が画像を表示する位置の一例を示す模式図である。
【図６】本実施形態における光学像の一例を示す模式図である。
【図７】本実施形態における光学像の明るさの分布の一例を示すグラフである。
【図８】本実施形態における左眼と右眼とに生じる両眼視差の一例を示すグラフである。
【図９】本実施形態の表示システムの構成の一例を示す構成図である。
【図１０】本実施形態における補正後の光学像の一例を示す模式図である。
【図１１】本実施形態における左眼と右眼とに生じる補正後の両眼視差の一例を示すグラフである。
【図１２】本実施形態の表示装置の動作の一例を示すフローチャートである。
【図１３】本発明の第２の実施形態における表示システムの構成の一例を示す構成図である。
【図１４】本実施形態における光学像の変形例の一例を示す模式図である。
【発明を実施するための形態】
【００１１】
［第１の実施形態]
以下、図面を参照して、本発明の第１の実施形態を説明する。
図１は、本発明の第１の実施形態における表示システム１００の構成の一例を示す構成図である。
本実施形態の表示システム１００は、画像供給装置２と、第１表示部１１と、第２表示部１２とを備えている。この具体例において、第１表示部１１とは、例えば３Ｄ上映を行う映画館のスクリーンである。この第１表示部１１は、第１表示面１１０を備えている。第１表示部１１は、この第１表示面１１０に、第１の画像Ｐ１１を表示する。この第１の画像Ｐ１１には、表示対象ＯＢＪの画像が含まれている。この第１の画像Ｐ１１とは、表示対象ＯＢＪを立体的に表示する３次元立体画像である。また、第２表示部１２とは、例えば透過型の表示装置１（ここでは、ヘッドマウントディスプレイ５０）が備える表示部である。すなわち、第２表示部１２とは、入射する光を透過可能な透過型の表示部である。この第２表示部１２は、左眼Ｌおよび右眼Ｒにそれぞれ独立して画像を表示することができる表示面を備えている。すなわち、第２表示部１２は、左眼表示部１２Ｌと右眼表示部１２Ｒとを備えている。この具体例において、観察者Ｕ（以下の説明においてユーザとも記載する。）は、ヘッドマウントディスプレイ５０を装着して椅子３に着座し、このヘッドマウントディスプレイ５０を介して、第１表示面１１０を見ている。以下、各図の説明においてはＸＹＺ直交座標系を設定し、このＸＹＺ直交座標系を参照しつつ各部の位置関係について説明する。第１表示部１１が画像を表示している方向をＺ軸の正の方向とし、前記Ｚ軸方向に垂直な平面上の直交方向をそれぞれＸ軸方向及びＹ軸方向とする。ここでは、Ｘ軸方向は、第１表示部１１の水平方向とし、Ｙ軸方向は第１表示部１１の鉛直方向とする。
【００１２】
画像供給装置２は、第１表示部１１に第１の画像情報を供給するとともに、第２表示部１２に第２の画像情報を供給する。ここで、第１の画像情報とは、第１表示部１１に表示される第１の画像Ｐ１１を表示するための情報である。この第１の画像Ｐ１１には、左眼用画像Ｐ１１Ｌと右眼用画像Ｐ１１Ｒとが含まれている。これらの左眼用画像Ｐ１１Ｌと右眼用画像Ｐ１１Ｒとは、例えば、互いに偏光角が異なる２種類の偏光板によって分離することが可能である。具体的には、左眼用画像Ｐ１１Ｌは、縦方向に偏光された画像であり、右眼用画像Ｐ１１Ｒは、横方向に偏光された画像である。ヘッドマウントディスプレイ５０は、互いに偏光角が異なる左眼用偏光板と右眼用偏光板とを備えており、左眼Ｌに対して左眼用画像Ｐ１１Ｌを、右眼Ｒに対して右眼用画像Ｐ１１Ｒをそれぞれ透過させる。また、これら左眼用画像Ｐ１１Ｌ及び右眼用画像Ｐ１１Ｒには、互いに視差が付加されている。具体的には、視点位置ＶＰから、この左眼用画像Ｐ１１Ｌを左眼Ｌで、右眼用画像Ｐ１１Ｒを右眼Ｒでそれぞれ見た場合に、ある奥行き位置Ｚ３に表示対象ＯＢＪの立体像が生じるように、これら左眼用画像Ｐ１１Ｌ及び右眼用画像Ｐ１１Ｒには、互いに視差が付されている。第２の画像情報は、第２表示部１２に表示される第２の画像Ｐ１２を表示するための情報であり、第１の画像情報に基づいて生成されているエッジ画像ＰＥの画像情報である。このエッジ画像ＰＥは、第１の画像Ｐ１１内のエッジ部分Ｅを示す画像である。このエッジ画像ＰＥについては、図４を参照して後述する。
【００１３】
第１表示部１１は、画像供給装置２から取得した第１の画像情報に基づいて、第１の画像Ｐ１１を表示する。この第１表示部１１は、上述したように第１表示面１１０を備えている。この第１表示面１１０は、（＋Ｚ）方向に向けて画像を表示する。また、第１表示部１１は、画像供給装置２から取得した第１の画像情報に基づいて、第１の画像Ｐ１１を第１表示面１１０に表示する。第１表示面１１０に表示された第１の画像Ｐ１１から発せられる第１光束Ｒ１１は、椅子３に座っている観察者Ｕに光学像として視認される。この観察者Ｕは、第１表示面１１０から（＋Ｚ）方向に所定の距離だけ離れた奥行き位置に備えられる椅子３に座って、−Ｚ方向にある第１表示面１１０を観察している。ここで、第１表示面１１０の奥行き位置は、奥行き位置Ｚ１である。また、第２表示部１２の各表示面の奥行き位置は、奥行き位置Ｚ２である。また、観察者Ｕの視点位置ＶＰの奥行き位置は、奥行き位置ＺＶＰである。
【００１４】
次に、図２を参照して、第２表示部１２について説明する。
図２は、本実施形態の表示装置１の構成の一例を示す斜視図である。ここで、表示装置１とは、ヘッドマウントディスプレイ５０である。また、第２表示部１２とは、ヘッドマウントディスプレイ５０が備える表示部である。この第２表示部１２は、画像供給装置２から取得した第２の画像情報に基づいて、このヘッドマウントディスプレイ５０を装着する観察者Ｕの眼の前において第２の画像Ｐ１２を表示する。すなわち、第２表示部１２は、ユーザに可搬される可搬型の透過型ディスプレイである。この第２表示部１２は、レンズなどの光学系（不図示）を備えており、観察者Ｕに虚像を表示する。また、第２表示部１２は、左眼表示部１２Ｌと右眼表示部１２Ｒとを備えている。この第２表示部１２の左眼表示部１２Ｌは、観察者Ｕに装着された場合に、画像供給装置２から供給される第２の画像情報による左眼用画像Ｐ１２Ｌを観察者Ｕの左眼Ｌに視認されるように表示する。同様に、第２表示部１２の右眼表示部１２Ｒは、第２の画像情報による右眼用画像Ｐ１２Ｒを観察者Ｕの右眼Ｒに視認されるように表示する。
【００１５】
また、第２表示部１２は、観察者Ｕが椅子３に座って第１表示部１１を観察した場合に、第１表示部１１が表示する第１の画像Ｐ１１の第１光束Ｒ１１（光）を透過方向に透過させる。ここで、透過方向は（＋Ｚ）方向である。つまり、第２表示部１２の左眼表示部１２Ｌは、入射する第１光束Ｒ１１のうちの左眼第１光束Ｒ１１Ｌを透過させる。同様に、第２表示部１２の右眼表示部１２Ｒは、入射する第１光束Ｒ１１のうちの右眼第１光束Ｒ１１Ｒを透過させる。このようにして左眼表示部１２Ｌは、入射する左眼第１光束Ｒ１１Ｌを透過させるとともに、左眼第２光束Ｒ１２Ｌを発する。この左眼第２光束Ｒ１２Ｌ及び左眼第１光束Ｒ１１Ｌは、対応する光学像として（−Ｚ）方向を観察している観察者Ｕの左眼に視認される。同様に、右眼表示部１２Ｒは、入射する右眼第１光束Ｒ１１Ｒを透過させるとともに、右眼第２光束Ｒ１２Ｒを発する。つまり、この右眼第２光束Ｒ１２Ｒ及び右眼第１光束Ｒ１１Ｒは、対応する光学像として（−Ｚ）方向を観察している観察者Ｕの右眼に視認される。
【００１６】
また、この第２表示部１２は、立体感を補正する補正部７０と、この補正部７０による補正量を調整するためのつまみＫＢを備えている。この補正部７０の詳細については、後述する。
【００１７】
次に、図３及び図４を参照して、本実施形態の第１の画像Ｐ１１の一例、および第２の画像Ｐ１２の一例を説明する。ここで、以下の図面において画像を示す場合には、便宜上、画像の明るさが明るい（例えば、輝度が高い）部分を薄く示している。
図３は、本実施形態における第１の画像Ｐ１１の一例を示す模式図である。図４は、本実施形態における第２の画像Ｐ１２の一例を示す模式図である。第１の画像Ｐ１１は、例えば、図３に示すように四角形のパターンを示す画像である。ここで、第１の画像Ｐ１１が示す四角形のパターンにおいては、四角形を構成する４辺がそれぞれエッジ部分になりうるが、以下の説明においては、便宜上、四角形の左辺を示す左辺エッジ部分Ｅ１及び右辺を示す右辺エッジ部分Ｅ２をエッジ部分Ｅとして説明する。上述したように、この第１の画像Ｐ１１には、左眼用画像Ｐ１１Ｌと右眼用画像Ｐ１１Ｒとが含まれている。このうち左眼用画像Ｐ１１Ｌには、左眼用のエッジ部分ＥＬが含まれる。この左眼用のエッジ部分ＥＬには、四角形の左辺を示す左辺エッジ部分Ｅ１Ｌ及び右辺を示す右辺エッジ部分Ｅ２Ｌとが含まれる。また、右眼用画像Ｐ１１Ｒには、右眼用のエッジ部分ＥＲが含まれる。この右眼用のエッジ部分ＥＲには、四角形の左辺を示す左辺エッジ部分Ｅ１Ｒ及び右辺を示す右辺エッジ部分Ｅ２Ｒとが含まれる。
【００１８】
第２の画像Ｐ１２は、例えば、図４に示すように四角形のパターンの左辺エッジ部分Ｅ１を示す左辺エッジ画像ＰＥ１及び、右辺エッジ部分Ｅ２を示す右辺エッジ画像ＰＥ２を含む画像である。ここで、エッジ部分（単にエッジ、又はエッジ領域と表現してもよい）とは、例えば、画像内において隣接する又は近傍の画素の明るさ（例えば、輝度）が急変する部分である。例えば、エッジ部分Ｅは、図３に示す四角形の左辺または右辺の、幅が無い理論的な線分を示すとともに、例えば、第２表示部１２の解像度に応じた有限の幅を有するエッジ周囲の領域をも示している。第２の画像Ｐ１２には、第２表示部１２の左眼表示部１２Ｌが表示する左眼用画像Ｐ１２Ｌと、第２表示部１２の右眼表示部１２Ｒが表示する右眼用画像Ｐ１２Ｒとが含まれる。この左眼表示部１２Ｌが表示する左眼用画像Ｐ１２Ｌとは、左眼用エッジ画像ＰＥＬとしての、左辺エッジ画像ＰＥ１Ｌと、右辺エッジ画像ＰＥ２Ｌとを含む画像である。また、この右眼表示部１２Ｒが表示する右眼用画像Ｐ１２Ｒとは、右眼用エッジ画像ＰＥＲとしての、左辺エッジ画像ＰＥ１Ｒと、右辺エッジ画像ＰＥ２Ｒとを含む画像である。これら左眼用画像Ｐ１２Ｌ及び右眼用画像Ｐ１２Ｒは、同一の画像であるため、以下の説明において両画像を特に区別しない場合には、第２の画像Ｐ１２と総称して説明する。また、以下の説明において、第１の画像Ｐ１１のうちの左眼用画像Ｐ１１Ｌを、第１の左眼用画像Ｐ１１Ｌとも記載し、第１の画像Ｐ１１のうちの右眼用画像Ｐ１１Ｒを、第１の右眼用画像Ｐ１１Ｒとも記載する。また、第２の画像Ｐ１２のうちの左眼用画像Ｐ１２Ｌを、第２の左眼用画像Ｐ１２Ｌとも記載し、第２の画像Ｐ１２のうちの右眼用画像Ｐ１２Ｒを、第２の右眼用画像Ｐ１２Ｒとも記載する。
【００１９】
次に、図５を参照して、第１の画像Ｐ１１と第２の画像Ｐ１２とを対応させて表示する構成について説明する。図５は、本実施形態の第１表示部１１と第２表示部１２とが画像を表示する位置の一例を示す模式図である。
【００２０】
第１表示部１１は、観察者Ｕに視認されるように（＋Ｚ）方向に３次元立体画像としての第１の画像Ｐ１１を表示する。また、第２表示部１２は、観察者Ｕに視認されるように第２の画像Ｐ１２を（＋Ｚ）方向に表示する。そして、第２の画像Ｐ１２は、第１の画像Ｐ１１が表示される位置から（＋Ｚ）方向に所定の距離Ｌｐだけ離れている位置に表示される。上述したように第２表示部１２とは、光を透過させる透過型のヘッドマウントディスプレイ５０が備える表示部である。このため、第１表示部１１に表示される第１の画像Ｐ１１と第２表示部１２に表示される第２の画像Ｐ１２とは、観察者Ｕによって重なるように視認される。ここで、所定の距離Ｌｐとは、第１の画像Ｐ１１が表示されている奥行き位置と、第２の画像Ｐ１２が表示されている奥行き位置の間の距離である。ここで、奥行き位置とは、Ｚ軸方向の位置である。この所定の距離Ｌｐは、第１の画像Ｐ１１が表示されている奥行き位置と、観察者Ｕの奥行き位置とに基づいて予め定められる。
【００２１】
また、図５に示すように、第２表示部１２は、第１表示部１１によって表示されている第１の画像Ｐ１１内の左辺エッジ部分Ｅ１と、エッジ部分に対応している第２の左眼用画像Ｐ１２Ｌの左辺エッジ画像ＰＥ１Ｌとが、対応して視認されるように第２の左眼用画像Ｐ１２Ｌを表示する。同様に、第２表示部１２は、第１表示部１１によって表示されている第１の画像Ｐ１１内の右辺エッジ部分Ｅ２と、エッジ部分に対応している第２の右眼用画像Ｐ１２Ｒの右辺エッジ画像ＰＥ２Ｒとが、対応して視認されるように第２の右眼用画像Ｐ１２Ｒを表示する。
【００２２】
すなわち、第２表示部１２の左眼表示部１２Ｌは、観察者Ｕの左眼Ｌに、第１の画像Ｐ１１によって示される四角形の左辺エッジ部分Ｅ１の（−Ｘ）側（つまり、四角形の外側）に、左辺エッジ部分Ｅ１と第２の左眼用画像Ｐ１２Ｌの左辺エッジ画像ＰＥ１Ｌとが重なって視認されるように、虚像としての第２の左眼用画像Ｐ１２Ｌを表示する。また、左眼表示部１２Ｌは、観察者Ｕの左眼Ｌに、第１の画像Ｐ１１によって示される四角形の右辺エッジ部分Ｅ２の（−Ｘ）側（つまり、四角形の内側）に、右辺エッジ部分Ｅ２と第２の左眼用画像Ｐ１２Ｌの右辺エッジ画像ＰＥ２Ｌとが重なって視認されるように、虚像としての第２の左眼用画像Ｐ１２Ｌを表示する。同様に、第２表示部１２の右眼表示部１２Ｒは、観察者Ｕの右眼Ｒに、第１の画像Ｐ１１によって示される四角形の右辺エッジ部分Ｅ２の（＋Ｘ）側（つまり、四角形の外側）に、右辺エッジ部分Ｅ２と第２の右眼用画像Ｐ１２Ｒの右辺エッジ画像ＰＥ２Ｒとが重なって視認されるように、虚像としての第２の右眼用画像Ｐ１２Ｒを表示する。また、右眼表示部１２Ｒは、観察者Ｕの右眼Ｒに、第１の画像Ｐ１１によって示される四角形の左辺エッジ部分Ｅ１の（＋Ｘ）側（つまり、四角形の内側）に、左辺エッジ部分Ｅ１と第２の右眼用画像Ｐ１２Ｒの左辺エッジ画像ＰＥ１Ｒが重なって視認されるように、虚像としての第２の右眼用画像Ｐ１２Ｒを表示する。このようにして、第２表示部１２（表示部）は、表示される第１の画像Ｐ１１の光を透過の方向に透過させるとともに、第１の画像Ｐ１１に対応する第２の画像Ｐ１２を透過の方向に表示する。
【００２３】
次に、観察者Ｕによって、第１の画像Ｐ１１と第２の画像Ｐ１２とから立体像（３次元画像）が認識される仕組みについて説明する。まず、観察者Ｕは、第１の画像Ｐ１１と、第１の画像Ｐ１１のエッジ部分Ｅに対応するエッジ画像ＰＥとを、これらの画像の対応する部分が重なるような位置で観察する。これにより、観察者Ｕは、第１の画像Ｐ１１とエッジ画像ＰＥとの輝度比に合わせて表示面間内の奥行き位置に像を知覚する。例えば、観察者Ｕが四角形のパターンを観察したとき、観察者Ｕの網膜像上では認識できないくらいの微小な輝度の段差ができる。このような場合においては、明るさ（例えば、輝度）の段差間に仮想的なエッジを知覚して１つの物体として認識する。このとき、観察者Ｕには、左眼Ｌと右眼Ｒとにおいて認識される仮想的なエッジに微小なずれが生じて両眼視差として知覚されることにより、像の奥行き位置が変化するように認識される。次に、この仕組みについて、図６から図８を参照して、詳細に説明する。
【００２４】
図６は、本実施形態における光学像ＩＭの一例を示す模式図である。ここで、光学像ＩＭとは、第１の画像Ｐ１１及び第２の画像Ｐ１２が観察者Ｕによって重ねて視認されることにより生じる像である。光学像ＩＭには、観察者Ｕの左眼Ｌに視認される光学像ＩＭＬと、観察者Ｕの右眼Ｒに視認される光学像ＩＭＲとが含まれる。
まず、観察者Ｕの左眼Ｌに視認される光学像ＩＭＬについて説明する。図６に示すように、観察者Ｕの左眼Ｌにおいては、第１の画像Ｐ１１のうちの左眼用画像Ｐ１１Ｌ（第１の左眼用画像Ｐ１１Ｌ）と、第２の画像Ｐ１２のうちの左眼用画像Ｐ１２Ｌ（第２の左眼用画像Ｐ１２Ｌ）とが合成された光学像ＩＭＬが結像する。
【００２５】
具体的には、図５を参照して説明したように、左眼Ｌにおいては、第１の左眼用画像Ｐ１１Ｌによって示される四角形の左辺エッジ部分Ｅ１Ｌの（−Ｘ）側（つまり、四角形の外側）に、左辺エッジ部分Ｅ１Ｌを示す画像と左辺エッジ画像ＰＥ１Ｌとが合成された光学像ＩＭＬが結像する。また、左眼Ｌにおいては、第１の左眼用画像Ｐ１１Ｌによって示される四角形の右辺エッジ部分Ｅ２Ｌの（−Ｘ）側（つまり、四角形の内側）に、右辺エッジ部分Ｅ２Ｌを示す画像と右辺エッジ画像ＰＥ２Ｌとが合成された光学像ＩＭＬが結像する。
【００２６】
次に、図６の場合において、左眼Ｌに視認されている光学像ＩＭＬの明るさの分布を図７を参照して説明する。図７は、本実施形態における光学像ＩＭの明るさの分布の一例を示すグラフである。ここで、図７に示すＸ座標Ｘ１〜Ｘ６は、光学像ＩＭの明るさの変化点に対応するＸ座標である。ここでは、画像の明るさの一例として、輝度値ＢＲの場合について説明する。また、第１の左眼用画像Ｐ１１Ｌは、Ｘ座標Ｘ１〜Ｘ２において輝度値ＢＲがゼロとして説明する。また、第１の左眼用画像Ｐ１１Ｌは、Ｘ座標Ｘ２〜Ｘ６において輝度値ＢＲ２である。また、第２の左眼用画像Ｐ１２Ｌは、Ｘ座標Ｘ１〜Ｘ２及びＸ座標Ｘ４〜Ｘ５において輝度値ＢＲ１であり、Ｘ座標Ｘ２〜Ｘ４においてゼロである。したがって、左眼Ｌに視認される光学像ＩＭＬの明るさ（例えば、輝度）は、Ｘ座標Ｘ１〜Ｘ２において輝度値ＢＲ１になる。また、光学像ＩＭＬの明るさは、Ｘ座標Ｘ２〜Ｘ４及びＸ座標Ｘ５〜Ｘ６において、輝度値ＢＲ２になり、Ｘ座標Ｘ４〜Ｘ５において輝度値ＢＲ１と輝度値ＢＲ２とが合成された明るさである輝度値ＢＲ３になる。
【００２７】
次に、観察者Ｕの左眼Ｌにエッジ部分が視認される仕組みについて説明する。
図８は、本実施形態における左眼Ｌと右眼Ｒとに生じる両眼視差の一例を示すグラフである。左眼Ｌの網膜上に結像された光学像ＩＭＬによって、観察者Ｕに認識される画像の明るさの分布は、図８の波形ＷＬのようになる。ここで、観察者Ｕは、例えば、視認される画像の明るさの変化が最大になる（つまり、波形ＷＬの傾きが最大になる）Ｘ軸上の位置を、視認している物体のエッジ部分であると認識する。本実施形態の場合、観察者Ｕは、例えば、左眼Ｌ側の波形ＷＬについて、図８に示すＸＥＬの位置（つまり、Ｘ軸の原点Ｏから距離ＬＥＬの位置）を視認している四角形の左辺側のエッジ部分であると認識する。
【００２８】
ここまで、観察者Ｕの左眼Ｌに認識される光学像ＩＭＬについて説明した。次に、観察者Ｕの右眼Ｒに視認される光学像ＩＭＲについての、光学像ＩＭＬとの相違点を説明し、その相違点によって立体像（３次元画像）を認識する仕組みについて、再び図６から図８を参照して説明する。図６に示すように、観察者の右眼Ｒにおいては、第１の右眼用画像Ｐ１１Ｒと、第２の右眼用画像Ｐ１２Ｒとが合成された光学像ＩＭＲが結像する。また、図７に示すように、右眼Ｒに視認される光学像ＩＭＲの明るさ（例えば、輝度値ＢＲ）は、Ｘ座標Ｘ１〜Ｘ３及びＸ座標Ｘ４〜Ｘ６において、左眼Ｌに視認される光学像ＩＭＬの明るさと相違している。この右眼Ｒの網膜上に合成された光学像ＩＭＲによって、観察者Ｕに認識される画像の明るさの分布は、図８の波形ＷＲのようになる。ここで、観察者Ｕは、例えば、右眼Ｒ側の波形ＷＲについて、図８に示すＸＥＲの位置（つまり、Ｘ軸の原点Ｏから距離ＬＥＲの位置）を視認している四角形のエッジ部分であると認識する。これにより、観察者Ｕは、左眼Ｌが視認する四角形のエッジ部分の位置ＸＥＬと、右眼Ｒが視認する四角形のエッジ部分の位置ＸＥＲとを両眼視差として認識する。そして、観察者Ｕは、エッジ部分の両眼視差に基づいて四角形の画像を立体像（３次元画像）として認識する。
【００２９】
次に、図９を参照して、本実施形態の表示システム１００の構成の一例について説明する。
図９は、本実施形態の表示システム１００の構成の一例を示す構成図である。表示システム１００は、表示装置１（ここでは、ヘッドマウントディスプレイ５０）と、画像供給装置２と、第１表示部１１とを備えている。画像供給装置２は、第１表示部１１に第１の画像情報を供給するとともに、ヘッドマウントディスプレイ５０に第２の画像情報を供給する。第１表示部１１は、画像供給装置２から供給される画像情報に基づいて、第１の画像Ｐ１１を表示する。
【００３０】
ヘッドマウントディスプレイ５０は、第２表示部１２と、取得部６０と、補正部７０とを備えている。第２表示部１２は、左眼表示部１２Ｌと、右眼表示部１２Ｒとを備えている。
【００３１】
取得部６０は、画像供給装置２が供給する第２の画像情報を取得し、取得した第２の画像情報を補正部７０に出力する。具体的には、この取得部６０は、無線通信部または有線通信部を有しており、画像供給装置２が送信する第２の画像情報を受信する。この第２の画像情報には、第２の左眼用画像Ｐ１２Ｌを表示するための情報と、第２の右眼用画像Ｐ１２Ｒを表示するための情報とが含まれている。
【００３２】
補正部７０は、入力される情報に基づいて、第２表示部１２が表示する視差画像による立体感を補正する。本実施形態において、この入力される情報とは、つまみＫＢ（図２を参照。）から入力される視差量情報である。この視差量情報とは、左眼表示部１２Ｌが表示する第２の左眼用画像Ｐ１２Ｌと、右眼表示部１２Ｒが表示する第２の右眼用画像Ｐ１２Ｒとの視差量を設定するための情報である。この視差量情報は、第２の左眼用画像Ｐ１２Ｌと、第２の右眼用画像Ｐ１２Ｒとの視差量が、つまみＫＢの回転角度に応じて設定される。例えば、つまみＫＢを右回転させると、第２の左眼用画像Ｐ１２Ｌと、第２の右眼用画像Ｐ１２Ｒとの視差量が大きくなるように視差量情報が設定される。また、つまみＫＢを左回転させると、第２の左眼用画像Ｐ１２Ｌと、第２の右眼用画像Ｐ１２Ｒとの視差量が小さくなるように視差量情報が設定される。補正部７０は、つまみＫＢの回転角に応じて設定された視差量情報に基づいて、第２表示部１２が表示する視差画像による立体感を補正する。この補正部７０が立体感を補正する仕組みの詳細について、図１０および図１１を参照して説明する。
【００３３】
図１０は、本実施形態における補正後の光学像ＩＭ’の一例を示す模式図である。ここで、補正後の光学像ＩＭ’とは、第１の画像Ｐ１１及び補正後の第２の画像Ｐ１２’が観察者Ｕによって重ねて視認されることにより生じる像である。この光学像ＩＭ’には、観察者Ｕの左眼Ｌに視認される光学像ＩＭＬ’と、観察者Ｕの右眼Ｒに視認される光学像ＩＭＲ’とが含まれる。
【００３４】
まず、観察者Ｕの左眼Ｌに視認される光学像ＩＭＬ’について説明する。図１０に示すように、観察者Ｕの左眼Ｌにおいては、第１の左眼用画像Ｐ１１Ｌと、補正後の第２の左眼用画像Ｐ１２Ｌ’とが合成された光学像ＩＭＬ’が結像する。ここで、補正後の第２の左眼用画像Ｐ１２Ｌ’は、補正後の左辺エッジ画像ＰＥ１Ｌ’のＸ方向の幅が、補正前の左辺エッジ画像ＰＥ１Ｌに比べて広い点において、補正前の第２の左眼用画像Ｐ１２Ｌと異なる。また、補正後の第２の左眼用画像Ｐ１２Ｌ’は、補正後の右辺エッジ画像ＰＥ２Ｌ’のＸ方向の幅が、補正前の右辺エッジ画像ＰＥ２Ｌに比べて広い点において、補正前の第２の左眼用画像Ｐ１２Ｌと異なる。すなわち、補正後の第２の左眼用画像Ｐ１２Ｌ’とは、左辺エッジ画像ＰＥ１Ｌおよび右辺エッジ画像ＰＥ２ＬのＸ方向の幅を広くするように、第２の左眼用画像Ｐ１２Ｌを補正した画像である。
【００３５】
補正後の左辺エッジ画像ＰＥ１Ｌ’は、補正前の左辺エッジ画像ＰＥ１Ｌに比べて−Ｘ方向に幅が広い。このため、補正後の第２の左眼用画像Ｐ１２Ｌ’と第１の左眼用画像Ｐ１１Ｌとを重ねて見ると、補正前の光学像ＩＭＬに比べてＸ方向の幅が広い光学像ＩＭＬ’が生じる。また、補正後の右辺エッジ画像ＰＥ２Ｌ’は、補正前の右辺エッジ画像ＰＥ２Ｌに比べて−Ｘ方向に幅が広い。このため、補正後の右辺エッジ画像ＰＥ２Ｌ’と第１の左眼用画像Ｐ１１Ｌとが重なる範囲は、補正前の光学像ＩＭＬに比べて−Ｘ方向に幅が広い。この場合において、観察者Ｕの左眼Ｌにエッジ部分が視認される仕組みについて説明する。
【００３６】
図１１は、本実施形態における左眼Ｌと右眼Ｒとに生じる補正後の両眼視差の一例を示すグラフである。上述したように、補正後の光学像ＩＭＬ’は、補正前の光学像ＩＭＬに比べて−Ｘ方向に幅が広い。したがって補正後の光学像ＩＭＬ’の明るさの分布は、補正前の光学像ＩＭＬの明るさの分布に比べて−Ｘ方向に幅が広い。具体的には、補正前の光学像ＩＭＬの明るさはＸ座標Ｘ１〜Ｘ６に分布するのに対し、補正後の光学像ＩＭＬ’の明るさはＸ座標Ｘ１’〜Ｘ６に分布する。ここで、Ｘ座標Ｘ１’は、Ｘ座標Ｘ１よりも−Ｘ方向にある座標である。左眼Ｌの網膜上に結像された補正後の光学像ＩＭＬ’によって、観察者Ｕに認識される画像の明るさの分布は、図１１の波形ＷＬ’のようになる。この波形ＷＬ’とは、補正前の波形ＷＬに比べて−Ｘ方向に広がった波形である。このため、観察者Ｕは、図８に示すＸＥＬの位置よりも−Ｘ方向にずれたＸＥＬ’の位置（つまり、Ｘ軸の原点Ｏから距離ＬＥＬ’の位置）を四角形の左辺側のエッジ部分であると認識する。つまり、第１の左眼用画像Ｐ１１Ｌが示す四角形が、補正前に比べて−Ｘ方向にずれて認識される。
【００３７】
次に、観察者Ｕの右眼Ｒに視認される光学像ＩＭＲ’について説明する。図１０に示すように、観察者Ｕの右眼Ｒにおいては、第１の右眼用画像Ｐ１１Ｒと、補正後の第２の右眼用画像Ｐ１２Ｒ’とが合成された光学像ＩＭＲ’が結像する。ここで、補正後の第２の右眼用画像Ｐ１２Ｒ’は、補正後の左辺エッジ画像ＰＥ１Ｒ’のＸ方向の幅が、補正前の左辺エッジ画像ＰＥ１Ｒに比べて広い点において、補正前の第２の右眼用画像Ｐ１２Ｒと異なる。また、補正後の第２の右眼用画像Ｐ１２Ｒ’は、補正後の右辺エッジ画像ＰＥ２Ｒ’のＸ方向の幅が、補正前の右辺エッジ画像ＰＥ２Ｒに比べて広い点において、補正前の第２の右眼用画像Ｐ１２Ｒと異なる。すなわち、補正後の第２の右眼用画像Ｐ１２Ｒ’とは、左辺エッジ画像ＰＥ１ＲのＸ方向の幅を広くするように、第２の右眼用画像Ｐ１２Ｒを補正した画像である。
【００３８】
補正後の左辺エッジ画像ＰＥ１Ｒ’は、補正前の左辺エッジ画像ＰＥ１Ｒに比べて＋Ｘ方向に幅が広い。このため、補正後の左辺エッジ画像ＰＥ１Ｒ’と第１の右眼用画像Ｐ１１Ｒとが重なる範囲は、補正前の光学像ＩＭＲに比べて＋Ｘ方向に幅が広い。また、補正後の右辺エッジ画像ＰＥ２Ｒ’は、補正前の右辺エッジ画像ＰＥ２Ｒに比べて＋Ｘ方向に幅が広い。このため、補正後の第２の右眼用画像Ｐ１２Ｒ’と第１の右眼用画像Ｐ１１Ｒとを重ねて見ると、補正前の光学像ＩＭＲに比べてＸ方向の幅が広い光学像ＩＭＲ’が生じる。この場合において、観察者Ｕの右眼Ｒにエッジ部分が視認される仕組みについて、再び図１１を参照して説明する。
【００３９】
上述したように、補正後の左辺エッジ画像ＰＥ１Ｒ’は、補正前の左辺エッジ画像ＰＥ１Ｒに比べて＋Ｘ方向に幅が広い。したがって、補正前の光学像ＩＭＲのＸ座標Ｘ２〜Ｘ座標Ｘ３における明るさが最大となる部分の幅が、補正後の光学像ＩＭＲ’においてはＸ座標Ｘ２〜Ｘ座標Ｘ３’の幅になる。ここで、Ｘ座標Ｘ３’は、Ｘ座標Ｘ３よりも＋Ｘ方向にある座標である。これにより、右眼Ｒの網膜上に結像された補正後の光学像ＩＭＲ’によって、観察者Ｕに認識される画像の明るさの分布は、図１１の波形ＷＲ’のようになる。この波形ＷＲ’とは、補正前の波形ＷＲに比べて、明るさが最大となる部分の幅が＋Ｘ方向に広がった波形である。このため、観察者Ｕは、図８に示すＸＥＲの位置よりも＋Ｘ方向にずれたＸＥＲ’の位置（つまり、Ｘ軸の原点Ｏから距離ＬＥＲ’の位置）を四角形の左辺側のエッジ部分であると認識する。つまり、第１の右眼用画像Ｐ１１Ｒが示す四角形が、補正前に比べて＋Ｘ方向にずれて認識される。
【００４０】
次に、補正部７０が画像を補正する具体的な構成について説明する。この補正部７０は、第２の画像Ｐ１２に表示するエッジ画像ＰＥを補正する。具体的には、補正部７０は、第１の左眼用画像Ｐ１１Ｌが示す四角形を補正前に比べて−Ｘ方向にずれた位置にするとともに、第１の右眼用画像Ｐ１１Ｒが示す四角形を補正前に比べて＋Ｘ方向にずれた位置にする。上述したように、第１の左眼用画像Ｐ１１Ｌと、第１の右眼用画像Ｐ１１Ｒとは互いにＸ方向にずれて表示されることにより視差を生じさせる画像である。すなわち、第１の左眼用画像Ｐ１１Ｌおよび第１の右眼用画像Ｐ１１ＲのＸ方向のずれ量を補正することにより、第１の左眼用画像Ｐ１１Ｌと、第１の右眼用画像Ｐ１１Ｒとの視差量を補正することができる。この補正部７０は、第１の左眼用画像Ｐ１１Ｌと、第１の右眼用画像Ｐ１１Ｒとの表示位置を補正することにより、第１の左眼用画像Ｐ１１Ｌと、第１の右眼用画像Ｐ１１Ｒとの視差量を補正する。すなわち、補正部７０は、第１の左眼用画像Ｐ１１Ｌと、第１の右眼用画像Ｐ１１Ｒとの表示位置を補正することにより、表示対象ＯＢＪのうち少なくとも一部の立体感を補正する。
【００４１】
なお、ここまで、補正部７０は、エッジ画像ＰＥの幅を変化させる補正を行うものとして説明したが、これに限られない。例えば、補正部７０は、図１０の画像Ｐ１１に含まれる四角形のエッジ部分の見かけの位置を変化させることにより、両眼視差量を変化させることができればよい。具体的には、補正部７０は、エッジ画像ＰＥのＸ方向の位置を変化させるようにして補正をおこなってもよい。また、補正部７０は、エッジ画像ＰＥの幅を広くする補正を行うだけでなく、エッジ画像ＰＥの幅を狭くする補正を行ってもよい。このように補正部７０は、エッジ画像ＰＥの位置や幅を適宜変化することにより、エッジ部分の見かけの位置を変化させて視差量を補正する。
【００４２】
また、補正部７０は、エッジ画像ＰＥの位置や幅を変化させることにより視差量を補正するものとして説明したが、これに限られない。例えば、補正部７０は、エッジ画像ＰＥの画素値（例えば、輝度値）を変化させることにより、視差量を補正してもよい。また、補正部７０は、エッジ画像ＰＥの画素値（例えば、輝度値）を、第１の左眼用画像Ｐ１２Ｌ’の画素値と、第１の右眼用画像Ｐ１２Ｒ’の画素値とが互いに異なる画素値になるように補正を行ってもよい。
【００４３】
また、補正部７０は、表示されるエッジ画像ＰＥを補正することにより、視差量を補正するものとして説明したが、これに限られない。例えば、補正部７０は、表示対象ＯＢＪを示す画像の視差量が、観察者Ｕにとって適切な範囲である場合には、エッジ画像ＰＥを表示しなくてもよい。
【００４４】
ここまで、本実施形態の表示装置１の構成の構成について説明した。次に、表示装置１の動作について図１２を参照して説明する。
図１２は、本実施形態の表示装置１の動作の一例を示すフローチャートである。
表示装置１の取得部６０は、画像供給装置２から画像情報を取得する（ステップＳ１０）。具体的には、取得部６０は、画像供給装置２から第２の画像Ｐ１２についての画像情報を取得する。
次に、表示装置１の補正部７０は、ステップＳ１０において取得された画像情報を補正することにより、立体感の補正を行う（ステップＳ２０）。具体的には、補正部７０は、第１の左眼用画像Ｐ１１Ｌが示す四角形を補正前に比べて−Ｘ方向にずれた位置にするとともに、第１の右眼用画像Ｐ１１Ｒが示す四角形を補正前に比べて＋Ｘ方向にずれた位置にする。
次に、表示装置１の第２表示部１２は、ステップＳ２０において補正された画像情報に基づいて、視差画像を表示する（ステップＳ３０）。このようにして表示装置１は、第１の左眼用画像Ｐ１１Ｌと、第１の右眼用画像Ｐ１１Ｒとの表示位置を補正することにより、表示対象ＯＢＪのうち少なくとも一部の立体感を補正する。
【００４５】
以上説明したように、本実施形態の表示装置１は、補正部７０を備えている。ここで観察者Ｕによっては、３次元立体画像の両眼視差が大きい場合、すなわち、立体感が強い場合には、立体表示される画像に不自然さを感じることなどにより、画像が見にくくなることがある。また、観察者によっては、３次元立体画像の両眼視差が小さい場合には、立体感を感じにくく、画像が見にくくなることがある。表示装置１は、この補正部７０を備えることにより、第１表示部１１に表示されている３次元立体画像の立体感を補正することができる。すなわち、この補正部７０を備える表示装置１によれば、立体表示される画像の見やすさを調整することができる。
【００４６】
また、表示装置１は、第２表示部１２ごとに補正部７０を備えるため、第１表示部１１に表示されている３次元立体画像の立体感を第２表示部１２ごとに補正することができる。ここで、それぞれの観察者Ｕが、第２表示部１２であるヘッドマウントディスプレイ５０を装着している場合には、表示装置１によれば、観察者Ｕごとに３次元立体画像の立体感を補正することができる。例えば、第１の画像Ｐ１１が映画館のスクリーンに上映される映画の画像である場合など、第１の画像Ｐ１１を複数の観察者Ｕが見ている場合において、それぞれの観察者Ｕがヘッドマウントディスプレイ５０を装着している場合には、観察者Ｕごとに３次元立体画像の立体感を補正することができる。すなわち、表示装置１によれば、個々の観察者Ｕに適合した視差量にすることにより、立体表示される画像の見やすさを、観察者Ｕごとに調整することができる。
【００４７】
なお、上述においては画像供給装置２が第２の画像情報を取得部６０に供給する例について説明したが、これに限られない。例えば、カメラなどの撮像装置が第２の画像情報を取得部６０に供給する構成であってもよい。この場合には、取得部６０は、撮像装置が第１の画像Ｐ１１を撮像した画像を取得する。上述したようにこの第１の画像Ｐ１１とは、両眼視差を有する画像である。補正部７０は、取得した第１の画像Ｐ１１を撮像した画像から、第１の画像Ｐ１１の両眼視差量を算出する。また、補正部７０は、算出した第１の画像Ｐ１１の両眼視差量と、上述したつまみＫＢの回転角に応じて設定された視差量情報とに基づいて、第２表示部１２が表示する視差画像による立体感を補正する。このように構成しても、表示装置１によれば、立体表示される画像の見やすさを調整することができる。
【００４８】
［第２の実施形態］
以下、図面を参照して、本発明の第２の実施形態を説明する。なお、上述した第１の実施形態と同様である構成及び動作については、説明を省略する。
図１３は、本発明の第２の実施形態における表示システム１００ａの構成の一例を示す構成図である。以下、表示装置１ａの一例としての、ヘッドマウントディスプレイ５０ａについて説明する。ヘッドマウントディスプレイ５０ａは、補正部７０ａと、眼間距離検出部７１と、位置検出部７２とを備えている点において、上述した第１の実施形態と異なる。具体的には、第１の実施形態の補正部７０は、つまみＫＢの操作に基づいて立体感を補正した。本実施形態の補正部７０ａは、眼間距離検出部７１が検出する観察者Ｕの左右眼間距離、および位置検出部７２が検出する相対位置に基づいて立体感を補正する点において上述した第１の実施形態と異なる。
【００４９】
眼間距離検出部７１は、視差画像を見る観察者Ｕの眼間距離を検出する。具体的には、眼間距離検出部７１は、観察者Ｕの瞳の位置を検出するセンサを備えており、左眼Ｌと右眼Ｒとの間の距離を検出する。眼間距離検出部７１は、検出した観察者Ｕの眼間距離を補正部７０ａに出力する。
【００５０】
位置検出部７２は、表示対象ＯＢＪの位置と、第２の画像Ｐ１２が表示される位置と、この第２の画像Ｐ１２を見る観察者Ｕの視点位置との相対位置を検出する。具体的には、位置検出部７２は、イメージセンサや測距センサなど、位置を検出するセンサを備えている。位置検出部７２は、この位置を検出するセンサによって、ヘッドマウントディスプレイ５０ａの第２表示部１２（より具体的には、左眼表示部１２Ｌ、および右眼表示部１２Ｒ）を基準にした、表示対象ＯＢＪの画像を表示する第１表示部１１の表示面（第１表示面１１０）の位置を検出する。また、位置検出部７２は、ヘッドマウントディスプレイ５０ａの第２表示部１２を基準にした、ヘッドマウントディスプレイ５０ａを装着する観察者Ｕの瞳の位置を検出する。また、位置検出部７２は、検出したこれらの位置を示す情報を、相対位置を示す情報として補正部７０ａに出力する。
【００５１】
補正部７０ａは、眼間距離検出部７１が検出する観察者Ｕの左右眼間距離、および位置検出部７２が検出する相対位置に基づいて立体感を補正する。具体的には、補正部７０ａは、眼間距離検出部７１が検出した眼間距離を取得する。また、補正部７０ａは、位置検出部７２が検出した相対位置を示す情報を取得する。また、補正部７０ａは、眼間距離検出部７１が検出した眼間距離と、位置検出部７２が検出した相対位置を示す情報とに基づいて、視差画像の両眼視差の量を補正することにより、第２表示部１２が表示する視差画像による立体感を補正する。
【００５２】
ここで、観察者Ｕの眼間距離や、表示対象ＯＢＪの画像が表示される位置と視点位置との相対位置によって、両眼視差によって立体表示される画像を見た場合に観察者Ｕが感じる見やすさが変化する。例えば、観察者Ｕが両眼視差によって立体表示される画像を見るとき、観察者Ｕの眼間距離が短い場合には、眼間距離が長い場合に比べて立体感がより強調されることがある。このため、観察者Ｕの眼間距離が短い場合、観察者Ｕは、立体表示される画像を見にくく感じることがある。また、観察者Ｕが表示対象ＯＢＪを斜め方向から見ている場合には、表示対象ＯＢＪを正面から見ている場合に比べて立体感がより強調されることがある。このため、観察者Ｕが表示対象ＯＢＪを斜め方向から見ている場合、観察者Ｕは、立体表示される画像を見にくく感じることがある。
【００５３】
本実施形態の補正部７０ａは、眼間距離検出部７１が検出する観察者Ｕの左右眼間距離、および位置検出部７２が検出する相対位置に基づいて立体感を補正することにより、立体感が強調され過ぎないようにすることができる。これにより、表示装置１ａは、立体表示される画像の見やすさを向上させることができる。
【００５４】
なお、上述の説明においては、補正部７０および補正部７０ａ（以下の説明において、これらを区別しない場合には補正部７０と総称する。）は、エッジ画像ＰＥを補正することにより立体感を補正したが、これに限られない。例えば、図１４に示すように、補正部７０は、第１の画像Ｐ１１の一部を隠す画像を付加して第２表示部１２に表示してもよい。
【００５５】
図１４は、本実施形態における光学像の変形例の一例を示す模式図である。具体的には、補正部７０は、第１の左眼用画像Ｐ１１Ｌの一部を隠す画像としての左眼用背景画像ＰＢＬを第２の左眼用画像Ｐ１２Ｌ’’に付加する。ここで、左眼用背景画像ＰＢＬとは、第１の左眼用画像Ｐ１１Ｌに表示される表示対象ＯＢＪを隠す画像である。具体的には、左眼用背景画像ＰＢＬとは、第１の左眼用画像Ｐ１１Ｌと重畳して表示された場合に、表示対象ＯＢＪの背景色と同じ色になる画像である。左眼用背景画像ＰＢＬが表示されることにより、表示対象ＯＢＪの一部が背景色と同じ色になるため、観察者Ｕは、表示対象ＯＢＪの一部が隠れたように感じる。
【００５６】
また、第２の左眼用画像Ｐ１２Ｌ’’には、観察者Ｕの左眼Ｌに、第１の左眼用画像Ｐ１１Ｌによって示される四角形の左辺エッジ部分Ｅ１Ｌと重なって視認されるように表示される補正後の左辺エッジ画像ＰＥ１Ｌ’が付加されている。また、第２の左眼用画像Ｐ１２Ｌ’’には、観察者Ｕの左眼Ｌに、第１の画像Ｐ１１によって示される四角形の右辺エッジ部分Ｅ２と重なって視認されるように表示される右辺エッジ画像ＰＥ２Ｌが付加されている。
【００５７】
このように、補正後の左辺エッジ画像ＰＥ１Ｌ’と、右辺エッジ画像ＰＥ２Ｌと、左眼用背景画像ＰＢＬとが付加された第２の左眼用画像Ｐ１２Ｌ’’と、第１の左眼用画像Ｐ１１Ｌとを重ねて見ると、観察者Ｕは、表示対象ＯＢＪの一部が隠れた光学像ＩＭＬ’’を認識する。例えば、図１４に示すように、第１の左眼用画像Ｐ１１Ｌに表示されている表示対象ＯＢＪの右辺エッジ部分Ｅ２Ｌ付近の画像を隠すように、左眼用背景画像ＰＢＬが表示されると、観察者Ｕは、表示対象ＯＢＪのうち右辺エッジ部分Ｅ２Ｌ付近が隠れた光学像ＩＭＬ’’を認識する。これにより、観察者Ｕは、第１の左眼用画像Ｐ１１Ｌに表示されている表示対象ＯＢＪの位置が−Ｘ方向にずれたように感じる。
【００５８】
また、補正部７０は、右眼Ｒについても左眼Ｌと同様にして、第１の右眼用画像Ｐ１１Ｒの一部を隠す画像としての右眼用背景画像ＰＢＲを第２の右眼用画像Ｐ１２Ｒ’’に付加してもよい。ここで、右眼用背景画像ＰＢＲとは、第１の右眼用画像Ｐ１１Ｒに表示される表示対象ＯＢＪを隠す画像である。具体的には、右眼用背景画像ＰＢＲとは、表示対象ＯＢＪの背景色と同じ色の画像である。表示対象ＯＢＪの一部に背景色と同じ色の右眼用背景画像ＰＢＲが表示されることにより、第１の右眼用画像Ｐ１１Ｒと、右眼用背景画像ＰＢＲとを重ねて見ると、観察者Ｕは、表示対象ＯＢＪの一部が隠れた光学像ＩＭＲ’’を認識する。例えば、図１４に示すように、第１の右眼用画像Ｐ１１Ｒに表示されている表示対象ＯＢＪの左辺エッジ部分Ｅ１Ｒ付近の画像を隠すように、右眼用背景画像ＰＢＲが表示されると、観察者Ｕは、表示対象ＯＢＪのうち左辺エッジ部分Ｅ１Ｒ付近が隠れた光学像ＩＭＲ’’を認識する。これにより、観察者Ｕは、第１の右眼用画像Ｐ１１Ｒに表示されている表示対象ＯＢＪの位置が＋Ｘ方向にずれたように感じる。
【００５９】
すなわち、補正部７０は、左眼用背景画像ＰＢＬおよび右眼用背景画像ＰＢＲを付加することにより、視差量を補正することができる。このように構成しても、補正部７０は、表示対象ＯＢＪの立体感を補正することができる。
【００６０】
また、上述の説明においては、補正部７０は、視差量を低減させる補正をするとして説明したが、これに限られない。例えば、補正部７０は、視差量を増加させるように第２の画像Ｐ１２を補正してもよい。
【００６１】
また、上述の説明においては、眼間距離検出部７１は、センサにより観察者Ｕの眼間距離を検出するとして説明したが、これに限られない。例えば、眼間距離検出部７１は、表示装置１ａ以外の装置から供給される情報に基づいて、眼間距離を検出してもよい。ここで、表示装置１ａ以外の装置とは、例えば、映画館の入場券の種類を判定する判定装置である。ここで、入場券の種類とは、大人用の入場券、または小人用の入場券である。この判定装置は、観察者Ｕが所持している入場券の種類が、大人用であるか小人用であるかを判定し、判定結果をヘッドマウントディスプレイ５０ａに供給する。ヘッドマウントディスプレイ５０ａの眼間距離検出部７１は、供給された判定結果が大人用の入場券を示す場合には、小人用に比べて予め広く設定されている大人用の眼間距離を補正部７０ａに出力する。また眼間距離検出部７１は、供給された判定結果が小人用の入場券を示す場合には、大人用に比べて予め狭く設定されている小人用の眼間距離を補正部７０ａに出力する。このように構成しても、補正部７０ａは、眼間距離検出部７１が検出した眼間距離に基づいて、視差画像の両眼視差の量を補正することにより、第２表示部１２が表示する視差画像による立体感を補正することができる。
【００６２】
また、眼間距離検出部７１は、観察者Ｕを撮像した画像等に基づいて、既知の方法により年齢推定を行うことにより、大人用であるか小人用であるかを判定し、判定結果をヘッドマウントディスプレイ５０ａに供給してもよい。このように構成しても、補正部７０ａは、眼間距離検出部７１が検出した眼間距離に基づいて、視差画像の両眼視差の量を補正することにより、第２表示部１２が表示する視差画像による立体感を補正することができる。
【００６３】
また、上述の説明においては、位置検出部７２は、センサにより相対位置を検出するとして説明したが、これに限られない。例えば、位置検出部７２は、座席番号など、観察者Ｕの着座位置に基づいて相対位置を検出してもよい。また、補正部７０ａは、位置検出部７２が検出した着座位置に基づいて、あおり補正をしてもよい。
【００６４】
また、上述の説明においては、画像供給装置２が第１表示部１１および第２表示部１２とは独立した装置であるとして説明したが、これに限られない。例えば、第１表示部１１が画像供給装置２を備える構成であってもよく、第２表示部１２が画像供給装置２を備える構成であってもよい。
【００６５】
また、ヘッドマウントディスプレイ５０（または、ヘッドマウントディスプレイ５０ａ）に表示される画像Ｐ１２は、第１表示面１１０に表示される画像Ｐ１１の大きさよりも小さくして表示することが好ましい。また、ヘッドマウントディスプレイ５０（または、ヘッドマウントディスプレイ５０ａ）が虚像を表示する場合に、表示される虚像の大きさを、画像Ｐ１１の大きさよりも小さくして表示することが好ましい。これにより、表示装置１は、観察者Ｕに対して表示対象ＯＢＪと、この表示対象ＯＢＪの輪郭部を示すエッジ画像ＰＥとの見かけの大きさを揃えて表示することができる。
【００６６】
以上、本発明の実施形態を図面を参照して詳述してきたが、具体的な構成はこの実施形態に限られるものではなく、本発明の趣旨を逸脱しない範囲で適宜変更を加えることができる。上述した各実施形態に記載の構成を組み合わせてもよい。
【００６７】
なお、上記の実施形態における表示システム１００、または表示システム１００ａ（以下の説明において表示システムと総称する。）が備える各部は、専用のハードウェアにより実現されるものであってもよく、また、メモリおよびマイクロプロセッサにより実現させるものであってもよい。
【００６８】
なお、表示システムが備える各部は、メモリおよびＣＰＵ（中央演算装置）により構成され、表示システムが備える各部の機能を実現するためのプログラムをメモリにロードして実行することによりその機能を実現させるものであってもよい。
【００６９】
また、表示システムが備える各部の機能を実現するためのプログラムをコンピュータ読み取り可能な記録媒体に記録して、この記録媒体に記録されたプログラムをコンピュータシステムに読み込ませ、実行することにより、制御部が備える各部による処理を行ってもよい。なお、ここでいう「コンピュータシステム」とは、ＯＳや周辺機器等のハードウェアを含むものとする。
【００７０】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであってもよく、さらに前述した機能をコンピュータシステムにすでに記録されているプログラムとの組み合わせで実現できるものであってもよい。
【符号の説明】
【００７１】
１、１ａ…表示装置、１０、１０ａ…表示部、１１…第１表示部、１２…第２表示部、５０、５０ａ…ヘッドマウントディスプレイ、７０、７０ａ…補正部、７１…眼間距離検出部、７２…位置検出部、１００、１００ａ…表示システム
【図１】
2014199288.tif 000003
【図２】
2014199288.tif 000004
【図３】
2014199288.tif 000005
【図４】
2014199288.tif 000006
【図５】
2014199288.tif 000007
【図６】
2014199288.tif 000008
【図７】
2014199288.tif 000009
【図８】
2014199288.tif 000010
【図９】
2014199288.tif 000011
【図１０】
2014199288.tif 000012
【図１１】
2014199288.tif 000013
【図１２】
2014199288.tif 000014
【図１３】
2014199288.tif 000015
【図１４】
2014199288.tif 000016